(57)【要約】【課題】サッシのロック時におけるクレセントのがたつきを低く抑えることができる錠装置及びサッシを提供すること。【解決手段】所定の中心線を回転中心として回転可能な軸４３と、前記軸４３を回転可能に支持する筐体２３と、前記軸４３に固定されたレバー４１と、前記軸４３に固定された掛け金４２と、所定のロック位置Ｐ１において前記軸４３の一部を押圧して前記軸４３の回転を規制する状態と、所定の解除位置Ｐ２において前記軸４３の押圧を解除した状態と、を切り替え可能に前記筐体２３に対して移動可能に前記筐体２３に取り付けられた操作つまみ２９と、を備えた。【選択図】図５
2015190252.tif 000002
【特許請求の範囲】
【請求項１】
所定の中心線を回転中心として回転可能な軸と、
前記軸を回転可能に支持する筐体と、
前記軸に固定されたレバーと、
前記軸に固定された掛け金と、
所定のロック位置において前記軸の回転を規制する状態と、所定の解除位置において前記軸が回転可能な状態と、を切り替え可能にした、前記筐体に対して移動可能に前記筐体に取り付けられた操作つまみと、
を備え、
前記操作つまみは、前記ロック位置において前記軸の一部を押圧してなることを特徴とする錠装置。
【請求項２】
請求項１に記載の錠装置であって、
前記軸と前記操作つまみとの間に配された弾性部材と、
前記軸に配され前記軸の回転位置に応じて弾性部材を移動させる突起部と、
をさらに備え、
前記操作つまみは、前記ロック位置に前記操作つまみがあるときに、前記弾性部材が前記突起部によって移動される領域に進入しており、前記弾性部材に接し前記弾性部材を介して前記軸を押圧することを特徴とする錠装置。
【請求項３】
請求項１に記載の錠装置であって、
前記軸に連結可能であり、前記軸の回転によって発電される発電機を有する発電ユニットをさらに備えたことを特徴とする錠装置。
【請求項４】
請求項１から請求項３のいずれか一項に記載の錠装置を備えたことを特徴とするサッシ。
【発明の詳細な説明】
【技術分野】
【０００１】
本発明は、錠装置及びサッシに関する。
【背景技術】
【０００２】
従来、スライディングサッシにおける内障子と外障子とを連結するクレセント錠が知られている（たとえば特許文献１，２，３参照）。
たとえば特許文献３には、スライディングサッシにおける内障子と外障子とをロック付クレセント錠によりロックすることが開示されている。特許文献３に記載のロック付クレセント錠は、内障子と外障子とがロック状態にあるときにクレセント錠の掛け金が受け部から抜けないように掛け金を固定するためのスライド式の補助ロック機構を有する。
【先行技術文献】
【特許文献】
【０００３】
【特許文献１】実公昭６１−１５１６１号公報
【特許文献２】特開２００５−１０５８１５号公報
【特許文献３】特許第２５８９２７９号公報
【発明の概要】
【発明が解決しようとする課題】
【０００４】
ロック付クレセント錠において掛け金をロックした場合に、部品の公差等による隙間が原因で掛け金及びレバーにがたつきが生じる場合がある。この場合、掛け金のロックが完全であっても部品の公差が原因でレバーのがたつきが生じる。掛け金が確実にロックされていることとレバーががたつくこととが無関係であったとしても、クレセントの掛け金及びレバーにがたつきが生じていない方がユーザにとっては安心感がある。
【０００５】
本発明は、上述した事情に鑑みてなされたものであって、その目的は、サッシのロック時におけるクレセントのがたつきを低く抑えることができる錠装置及びサッシを提供することである。
【課題を解決するための手段】
【０００６】
本発明の一態様は、所定の中心線を回転中心として回転可能な軸と、前記軸を回転可能に支持する筐体と、前記軸に固定されたレバーと、前記軸に固定された掛け金と、所定のロック位置において前記軸の回転を規制する状態と、所定の解除位置において前記軸が回転可能な状態と、を切り替え可能にした、前記筐体に対して移動可能に前記筐体に取り付けられた操作つまみと、を備え、前記操作つまみは、前記ロック位置において前記軸の一部を押圧してなる錠装置である。
【０００７】
上記態様の錠装置は、軸の一部が操作つまみにより押圧されることで軸の回転が規制される。このため、レバーのがたつきを低く抑えることができる。
【０００８】
上記態様の錠装置は、前記軸と前記操作つまみとの間に配された弾性部材と、前記軸に配され前記軸の回転位置に応じて弾性部材を移動させる突起部と、をさらに備えていてもよい。前記操作つまみは、前記ロック位置に前記操作つまみがあるときに、前記弾性部材が前記突起部によって移動される領域に進入しており、前記弾性部材に接し前記弾性部材を介して前記軸を押圧してもよい。
【０００９】
上記態様の錠装置は、前記軸に連結可能であり、前記軸の回転によって発電される発電機を有する発電ユニットをさらに備えてもよい。
【００１０】
本発明の別の態様は、上記態様の錠装置を備えたサッシである。
【発明の効果】
【００１１】
本発明によれば、サッシのロック時におけるクレセントのがたつきを低く抑えることができる。
【図面の簡単な説明】
【００１２】
【図１】本発明の第１実施形態のサッシを示す正面図である。
【図２】同サッシにおける錠装置部分を示す拡大図である。
【図３】同サッシに錠装置が取り付けられた状態を示す側面図である。
【図４】図２のＡ−Ａ線における断面図である。
【図５】同錠装置の作用を説明するための図である。
【図６】本発明の第２実施形態の錠装置を示す図で、図２のＡ−Ａ断面と同様の位置における断面を示す断面図である。
【図７】同錠装置の作用を説明するための図である。
【図８】本発明の第３実施形態の錠装置を示す図である。
【発明を実施するための形態】
【００１３】
（第１実施形態）
本発明の第１実施形態のサッシ１及び錠装置２０について説明する。図１は、本実施形態のサッシ１を示す正面図である。図２は、サッシ１における錠装置２０部分を示す拡大図である。図３は、サッシ１に錠装置２０が取り付けられた状態を示す側面図である。図２のＡ−Ａ線における断面図である。
【００１４】
図１に示すように、本実施形態のサッシ１は、サッシ枠２と、サッシ枠２内にスライド可能に配された２枚引違い窓となる外障子６及び内障子９と、外障子６と内障子９との開閉を規制するために外障子６と内障子９とを連結する錠装置２０と、を備えたスライディングサッシである。
【００１５】
サッシ枠２は、壁や間仕切りに形成された開口に取り付けられる上枠３、たて枠４、及び下枠５を有している。上枠３、たて枠４、及び下枠５は、外障子６及び内障子９を取り付け可能な略長方形の枠を構成する。
【００１６】
外障子６は、サッシ１において内障子９に対して屋外側に配される障子である。内障子９は、サッシ１において外障子６に対して室内側に配される障子である。外障子６及び内障子９の構成については特に限定されない。たとえば、外障子６及び内障子９は、長方形のガラス板７，１０と、このガラス板の周囲に取り付けられた框８，１１とをそれぞれ備える。
【００１７】
図１及び図２に示す錠装置２０は、内障子９と外障子６とを連結することによりサッシ１を閉じた状態で保持する装置である。本実施形態の錠装置２０は、いわゆるロック付クレセント錠であり、後述するクレセント４０の動作を規制することができる。
図２及び図３に示すように、錠装置２０は、内障子９に取り付け可能な本体部２１と、外障子６に取り付け可能な受け部５０とを有する。
【００１８】
図２に示すように、本体部２１は、台座２２とクレセント４０とを有する。
【００１９】
図４に示すように、台座２２は、筐体２３と、操作つまみ２９と、バネ部材３６とを有する。
【００２０】
図２及び図４に示すように、筐体２３は、内障子９への取付部２４と、クレセント４０の軸４３が挿通される貫通孔部２５と、操作つまみ２９を案内する案内部２６とを有する。
【００２１】
内障子９への取付部２４は、内障子９の框１１に対してねじ止めにより固定される部分である。
【００２２】
図２に示す貫通孔部２５は、筐体２３に対してクレセント４０の軸４３が回動自在となるように、クレセント４０の軸４３の外周を支持する。
【００２３】
図４に示す案内部２６は、操作つまみ２９の被操作部３０が所定の方向（本実施形態では上下方向）に移動可能となるように操作つまみ２９を支持する。案内部２６は、操作つまみ２９の後述する移動子３１が収容される収容部２７と、操作つまみ２９の後述する摘み部３２を筐体２３外部に露出させるように筐体２３に形成された開口部２８とを有する。
本実施形態における案内部２６の収容部２７は、筐体２３の内部空間によって構成されている。
開口部２８は、開口端の輪郭形状が長方形状となるように筐体２３に形成されている。開口部２８は、内障子９に筐体２３が取り付けられた状態において、長方形の長辺方向に沿った方向へ操作つまみ２９を案内可能である。開口部２８の長辺方向における両端は、台座２２に対するクレセント４０の移動が規制されるロック位置Ｐ１と、本体に対してクレセント４０を移動可能とする解除位置Ｐ２とを規定する。
ロック位置Ｐ１と解除位置Ｐ２との各々の位置は、バネ部材３６と開口部２８との位置関係によって定まる。
【００２４】
操作つまみ２９は、ユーザによって操作される被操作部３０と、被操作部３０に対して一体成型された係合部３３及び支持部３５を有する。
【００２５】
被操作部３０は、筐体２３の内部に配された移動子３１と、移動子３１と繋がっており筐体２３の外部に配された摘み部３２とを有する。
【００２６】
係合部３３は、操作つまみ２９が案内部２６に取り付けられた状態において開口部２８の長辺方向に対して傾斜した当接面部３４を有している。
【００２７】
当接面部３４は、案内部２６に対する操作つまみ２９の位置に応じて、バネ部材３６に接した状態と、バネ部材３６から離間した状態とに切替可能である。当接面部３４の傾斜方向は、操作つまみ２９の移動方向において、解除位置Ｐ２側からロック位置Ｐ１側へ行くに従って開口側へ向かう傾斜方向である。
【００２８】
支持部３５は、筐体２３に対する操作つまみ２９の移動を制限することにより、操作つまみ２９の操作に対してクリック感をユーザに与えたり、意図せずに操作つまみ２９が移動してしまうのを予防したりするために、筐体２３の内面に対して摩擦係合可能な突起を有する。
【００２９】
バネ部材３６は、筐体２３の内部に一端が連結された弾性部材である。本実施形態のバネ部材３６は板バネである。バネ部材３６は、操作つまみ２９の係合部３３と、クレセント４０の後述する軸４３との間に配されている。バネ部材３６は、クレセント４０の軸４３が回転する際にクレセント４０の軸４３によって押され、バネ部材３６の復元力によりクレセント４０の軸４３を押し返す。また、バネ部材３６には、係合部３３の当接面部３４が接触可能であり、バネ部材３６に当接面部３４が接触している時には、クレセント４０の軸４３がバネ部材３６を押してもバネ部材３６は移動しないように構成されている。
【００３０】
図２に示すクレセント４０は、ユーザによって操作されるレバー４１と、レバー４１に固定された掛け金４２と、レバー４１に固定された軸４３と、を有する。
【００３１】
レバー４１は、軸４３に直交する一直線方向に長い棒状である。レバー４１の形状は、デザイン上の要請に応じて適宜設定されてよい。
【００３２】
掛け金４２は、レバー４１と筐体２３との間に配されている。掛け金４２は、後述する受け部５０の爪部５１に入り込む三日月状をなしている。掛け金４２の構成として、公知のクレセント４０における掛け金４２が適宜選択されて採用されてよい。
【００３３】
図２及び図４に示すように、軸４３は、レバー４１の回転操作によって回転される棒状部４４と、バネ部材３６に接続されたバネ接続部４５とを有する。
【００３４】
棒状部４４の一端は筐体２３の内部に配されている。棒状部４４の他端は筐体２３の貫通孔部２５を通じて筐体２３の外部に突出し、レバー４１に連結されている。
【００３５】
バネ接続部４５は、軸４３の中心線を回転中心とするカム形状を有している。すなわち、バネ接続部４５は、軸４３の中心線に直交する方向のうちレバー４１が延びる方向において軸４３からレバー４１の突出端へ向かう方向と平行に軸４３の中心線から突出した突起部４６と、突起部４６に繋がる一対の保持部４７とを有する。
【００３６】
突起部４６は、掛け金４２が受け部５０の爪部５１から完全に引き抜かれている状態から掛け金４２が受け部５０の爪部５１に完全に引っかかっている状態までクレセント４０が台座２２に対して移動される過程で、バネ部材３６を押してバネ部材３６を弾性変形させる。また、突起部４６は、掛け金４２が受け部５０の爪部５１に完全に引っかかっている状態から掛け金４２が受け部５０の爪部５１から完全に引き抜かれている状態までクレセント４０が台座２２に対して移動される過程でも、バネ部材３６を押してバネ部材３６を弾性変形させる。このとき、バネ部材３６が元の形状に戻ろうとする復元力によりバネ部材３６が突起部４６を押し返すので、クレセント４０は、バネ部材３６の復元力によって、掛け金４２が受け部５０の爪部５１から完全に引き抜かれている状態と、掛け金４２が受け部５０の爪部５１に完全に引っかかっている状態とのいずれかの状態になるように付勢される。
【００３７】
保持部４７は、突起部４６と繋がってバネ接続部４５に設けられており、掛け金４２が受け部５０の爪部５１から完全に引き抜かれている状態と、掛け金４２が受け部５０の爪部５１に完全に引っかかっている状態とのいずれかの状態とのそれぞれにおいて、バネ部材３６に接している。
保持部４７は、掛け金４２が受け部５０の爪部５１から完全に引き抜かれている状態と、掛け金４２が受け部５０の爪部５１に完全に引っかかっている状態との各々でクレセント４０のがたつきを低く抑える。具体的には、保持部４７は、板バネからなるバネ部材３６の板面に当接するように面状に形成されている。
【００３８】
図３に示すように、受け部５０は、クレセント４０の掛け金４２が挿入される爪部５１と、爪部５１を外障子６の框８に固定するための取付部５２とを有する。受け部５０の構成は、外障子６の構造及びクレセント４０の構造に応じて好適な構成が適宜選択されてよい。
【００３９】
次に、本実施形態のサッシ１及び錠装置２０の作用について説明する。図５は、錠装置２０の作用を説明するための図である。
図４及び図５に示すように、台座２２に対してクレセント４０を動作させることによって、爪部５１に掛け金４２が挿入された状態と、爪部５１から掛け金４２が引き抜かれた状態とが切り替えられる。この切り替えにより、内障子９と外障子６とが連結された状態（施錠状態）と、内障子９と外障子６とがサッシ枠２の中で相対移動可能な状態（開錠状態）とが切り替わる。
【００４０】
爪部５１に掛け金４２が挿入された状態において、ユーザは、操作つまみ２９を移動させることができる。操作つまみ２９は、案内部２６における操作つまみ２９の位置に対応して、当接面部３４がバネ部材３６に接する状態と、当接面部３４がバネ部材３６から離間した状態との２つの状態のいずれかとなる。
【００４１】
図４及び図５に示すように、当接面部３４がバネ部材３６から離間した状態から当接面部３４がバネ部材３６に接する状態へ移行する過程において、当接面部３４は、バネ部材３６が突起部４６によって移動される領域の中に進入し、軸４３のバネ接続部４５に設けられた保持部４７にバネ部材３６を押し付けるようにバネ部材３６を押す。当接面部３４は開口部２８の長辺に対して傾斜しているので、操作つまみ２９を移動させるに従って当接面部３４は漸次バネ部材３６に近づき、バネ部材３６に接し、さらにバネ部材３６を押す。当接面部３４がバネ部材３６を押している状態で、バネ部材３６は、クレセント４０のレバー４１の移動により突起部４６がバネ部材３６を押しても移動しない。突起部４６がバネ部材３６を押しても動かない状態では、台座２２に対してクレセント４０を移動（回動）させることはできず、爪部５１に掛け金４２が挿入された状態で台座２２に対してクレセント４０の位置がロックされている。
【００４２】
また、バネ部材３６を押している当接面部３４は、バネ部材３６が軸４３の保持部４７に接するまでバネ部材３６を押している。このため、バネ部材３６を押している当接面部３４は、クレセント４０のレバー４１にがたつきが生じないように、バネ部材３６及び軸４３を介してクレセント４０を保持している。
【００４３】
以上に説明したように、本実施形態のサッシ１及び錠装置２０によれば、当接面部３４を有する操作つまみ２９がバネ部材３６及び軸４３を介してクレセント４０を保持するので、台座２２に対してクレセント４０がロックされた状態におけるクレセント４０のがたつきが低く抑えられている。
また、バネ部材３６が板バネであり、突起部４６は軸４３の中心線から離れる方向へバネ部材３６を移動させる。このため、軸４３の棒状部４４とバネ部材３６とが干渉しない。
【００４４】
（第２実施形態）
本発明の第２実施形態について説明する。図６は、本実施形態の錠装置を示す図で、図２のＡ−Ａ断面と同様の位置における断面を示す断面図である。図７は、錠装置２０Ａの作用を説明するための図である。
図６及び図７に示すように、本実施形態では、上記第１実施形態で説明した錠装置２０とは構成が異なる錠装置２０Ａを備える。
【００４５】
本実施形態の錠装置２０Ａは、第１実施形態で説明した本体部２１に代えて内障子９に取り付け可能な本体部２１Ａを備えている。なお、本実施形態の錠装置２０Ａは第１実施形態と同様の受け部５０を備える。
本体部２１Ａは、台座２２Ａと、クレセント４０Ａとを備える。
台座２２Ａは、筐体２３Ａと、操作つまみ２９Ａと、バネ部材３６Ａとを有する。
【００４６】
筐体２３Ａは、第１実施形態で説明した取付部２４、貫通孔部２５、及び案内部２６を有する。
【００４７】
操作つまみ２９Ａは、ユーザによって操作される被操作部３０Ａと、被操作部３０Ａに対して一体成型された係合部３３Ａ及び支持部３５Ａを有する。
【００４８】
被操作部３０Ａは、筐体２３Ａの内部に配された移動子３１Ａと、移動子３１Ａと繋がっており筐体２３Ａの外部に配された摘み部３２Ａとを有する。
【００４９】
係合部３３Ａは、操作つまみ２９Ａが案内部２６に取り付けられた状態において開口部２８の長辺方向に対して傾斜した当接面部３４Ａを有している。
【００５０】
当接面部３４Ａは、案内部２６に対する操作つまみ２９Ａの位置に応じて、クレセント４０Ａの後述する軸４３Ａに接した状態と、軸４３Ａから離間した状態とに切替可能である。当接面部３４Ａの傾斜方向は、操作つまみ２９Ａの移動方向において、解除位置Ｐ２側からロック位置Ｐ１側へ行くに従って開口側へ向かう傾斜方向である。
本実施形態では、ロック位置Ｐ１と解除位置Ｐ２との各々の位置は、軸４３Ａのロック受け４８と開口部２８との位置関係によって定まる。
【００５１】
支持部３５Ａは、筐体２３Ａに対する操作つまみ２９Ａの移動を制限することにより、操作つまみ２９Ａの操作に対してクリック感をユーザに与えたり、意図せずに操作つまみ２９Ａが移動してしまうのを予防したりするために、筐体２３Ａの内面に対して摩擦係合可能な突起を有する。本実施形態では、支持部３５Ａは、筐体２３Ａの内面に形成された突起に支持部３５Ａが支持されることで、意図せずに操作つまみ２９Ａが移動してしまうのを予防できる。なお、筐体２３Ａの内面に形成された突起を支持部３５Ａが乗り越える程度の力をユーザが操作つまみ２９Ａに与えれば、筐体２３Ａの内面に形成された突起を支持部３５Ａが乗り越えることでユーザにクリック感を与えるとともに操作つまみ２９Ａは移動可能である。
【００５２】
バネ部材３６Ａは、筐体２３Ａの内部に一端が固定され、軸４３Ａに他端が固定されたコイルバネである。バネ部材３６Ａは、クレセント４０Ａの軸４３Ａが回転する際にクレセント４０の軸４３Ａによって引き延ばされ、バネ部材３６Ａの復元力によってクレセント４０Ａの軸４３Ａを、後述するバネ接続部４５Ａの位置に対応した所定の回転方向に付勢する。
【００５３】
クレセント４０Ａは、第１実施形態で説明した軸４３に代えて、第１実施形態で説明した軸４３とは構成が異なる軸４３Ａを有する。なお、クレセント４０Ａは、第１実施形態で説明したレバー４１及び掛け金４２を有している。
【００５４】
軸４３Ａは、第１実施形態で説明した棒状部４４と、本実施形態のバネ部材３６Ａに接続されたバネ接続部４５Ａと、棒状部４４に固定されたロック受け４８とを有する。
バネ接続部４５Ａは、コイルバネであるバネ部材３６Ａの両端のうち筐体２３Ａに固定された端と反対側の端が連結された突起状の連結突起４５Ａａを有している。バネ接続部４５Ａは、軸４３Ａの中心線に対して直交する方向に軸４３Ａの中心線から離れた位置においてバネ部材３６Ａを保持している。これにより、軸４３Ａの回転によりバネ部材３６Ａが伸び、バネ部材３６Ａの復元力により軸４３Ａを回転させようとする付勢力が生じる。
【００５５】
ロック受け４８は、軸４３Ａの中心線方向における棒状部４４の両端のうち、筐体２３Ａの内部に配された一端に固定されている。ロック受け４８は、軸４３Ａの中心線に対して直交する方向に軸４３Ａの中心線から離れた位置に、操作つまみ２９Ａの当接面部３４Ａに当接可能な突起状の構造を有している。ロック受け４８は、当接面部３４Ａを有する操作つまみ２９Ａの開口部２８に対する移動方向に対して略直交する方向から当接面部３４Ａに当接可能である。このため、ロック受け４８が当接面部３４Ａを押圧する方向へ軸４３Ａが回転しようとしても、ロック受け４８は当接面部３４Ａを移動させることができず、軸４３Ａは回転できない。
本実施形態において、バネ接続部４５Ａとロック受け４８とは一体成型されている。
【００５６】
本実施形態では、クレセント４０Ａの掛け金４２が受け部５０の爪部５１に完全に挿入されている状態で操作つまみ２９Ａをロック位置Ｐ１へ移動させると、当接面部３４Ａがロック受け４８に当接する。このとき、クレセント４０Ａの軸４３Ａがその中心線を回転中心として回転しようとする動きは、当接面部３４Ａがロック受け４８に接していることによって規制されている。その結果、本実施形態においても第１実施形態と同様に、クレセント４０Ａが本体部２１Ａに対してロックされた状態におけるクレセント４０Ａのがたつきが低く抑えられている。
【００５７】
（第３実施形態）
次に、本発明の第３実施形態について説明する。図８は、本実施形態の錠装置２０Ｂを示す正面図である。
図８に示すように、本実施形態の錠装置２０Ｂは、上記第１実施形態で説明した台座２２が、クレセント４０の軸４３の回転動作により発電する発電ユニット６０を有している。
【００５８】
発電ユニット６０は、内障子９の框１１と上記第１実施形態の台座２２との両方に固定可能なケース６１と、クレセント４０の軸４３と噛み合う回転部材６２と、回転部材６２に連結された発電機６３と、を有する。
【００５９】
回転部材６２および発電機６３は、ケース６１の内部に配置されている。発電機６３は、クレセント４０の軸４３の回転が回転部材６２を介して発電機６３に伝達されることにより、公知の開錠センサや自動通報装置を駆動するための電力を発生させることができる。
【００６０】
本実施形態では、クレセント４０をユーザが操作するときにクレセント４０の軸４３が台座２２に対して回転すると、台座２２に固定された発電ユニット６０において、発電機６３がクレセント４０の軸４３の回転によって回転部材６２を介して発電される。このため、外部からの電力の供給がなくても、開錠センサや自動通報装置を駆動することができる。
【００６１】
たとえば、錠装置２０によって内障子９と外障子６とが固定されている状態で屋外からサッシ１（図１参照）を開けようとした場合に、上記第１実施形態においては、操作つまみ２９を用いたロックがされていれば錠装置２０のクレセント４０は動かないが、操作つまみ２９を用いたロックがされていない場合には、クレセント４０は動かせる。本実施形態では、クレセント４０が動かされたときに軸４３がクレセント４０と一体に回転する際に、発電機６３によって電力を発生させ、開錠センサや自動通報システムを動作させ、開錠操作がされたことを検知可能である。
【００６２】
以上、本発明の実施形態について図面を参照して詳述したが、具体的な構成はこの実施形態に限られるものではなく、本発明の要旨を逸脱しない範囲の設計変更等も含まれる。
たとえば、上記各実施形態において、操作つまみにおいて、摘み部と当接面部とは別体であってもよい。この場合、操作つまみの移動方向と異なる方向に当接面部を移動させるカム等の機構を有して当接面部が板バネあるいはロック受けに接するようになっていてもよい。
また、操作つまみは筐体の開口部に沿った直線移動に代えて、筐体内の所定の回転軸を回転中心とした回転動作によって当接面部を移動させる構成を有していてもよい。
また、上述の各実施形態において示した構成要素は適宜に組み合わせて構成することが可能である。
【符号の説明】
【００６３】
１  サッシ
２  サッシ枠
３  上枠
４  枠
５  下枠
６  外障子
７，１０  ガラス板
８，１１  框
９  内障子
２０，２０Ａ，２０Ｂ  錠装置
２１，２１Ａ  本体部
２２，２２Ａ  台座
２３，２３Ａ  筐体
２４  取付部
２５  貫通孔部
２６  案内部
２７  収容部
２８  開口部
２９  操作つまみ
３０，３０Ａ  被操作部
３１，３１Ａ  移動子
３２，３２Ａ  摘み部
３３，３３Ａ  係合部
３４，３４Ａ  当接面部
３５，３５Ａ  支持部
３６，３６Ａ  バネ部材
４０，４０Ａ  クレセント
４１  レバー
４２  掛け金
４３  軸
４４  棒状部
４５，４５Ａ  バネ接続部
４６  突起部
４７  保持部
４８  ロック受け
５０  受け部
５１  爪部
５２  取付部
６０  発電ユニット
６１  ケース
６２  回転部材
６３  発電機
【図１】
2015190252.tif 000003
【図２】
2015190252.tif 000004
【図３】
2015190252.tif 000005
【図４】
2015190252.tif 000006
【図５】
2015190252.tif 000007
【図６】
2015190252.tif 000008
【図７】
2015190252.tif 000009
【図８】
2015190252.tif 000010